(57)【要約】【課題】包装の作業性を向上できる包装装置を提供する。【解決手段】包装装置15は、ランプ10を収容するブリスターパック16、および包装箱17を備える。包装箱17は、ブリスターパック16に収容されたランプ10が露出する窓部32が形成された包装材30を有し、この包装材30の折り曲げおよび嵌め込みによってブリスターパック16を収容する箱状に組み立てる。【選択図】図１
2015037957.tif 000002
【特許請求の範囲】
【請求項１】
包装物を収容するブリスターパックと；
前記ブリスターパックに収容された前記包装物が露出する窓部が形成された包装材を有し、この包装材の折り曲げおよび嵌め込みによって前記ブリスターパックを収容する箱状に組み立てられた包装箱と；
を具備することを特徴とする包装装置。
【請求項２】
前記ブリスターパックは、このブリスターパックの前面側に突出するとともに背面側に開口して前記包装物を着脱可能に収容する収容部を有し、
前記包装箱は、前記ブリスターパックの背面側に前記包装材が重なって配置されている
ことを特徴とする請求項１記載の包装装置。
【請求項３】
前記包装材は、前記ブリスターパックの背面側に折り曲げられるフラップを有し、このフラップに溝部が設けられ、
前記ブリスターパックは、折り曲げられた前記フラップの前記溝部に挿入される突部を有する
ことを特徴とする請求項１または２記載の包装装置。
【発明の詳細な説明】
【技術分野】
【０００１】
本発明の実施形態は、ブリスターパックと包装箱とを組み合わせた包装装置に関する。
【背景技術】
【０００２】
従来、例えばランプなどの包装物を包装する包装装置には、段ボールなどの包装材で構成された包装箱や、透明なプラスチック製のブリスターパック等が用いられている。
【０００３】
また、ブリスターパックと包装材とを組み合わせ、包装物を収容したブリスターパックを包装箱で覆う包装装置もある。この包装装置に用いられる包装箱は、製函機によって包装材を糊付けして半組立状態とし、この半組立状態の包装材をブリスターパックと組み合わせ、包装箱を組み立てるようにしている。
【先行技術文献】
【特許文献】
【０００４】
【特許文献１】特開２０１２−５６６１０号公報
【特許文献２】特開２００９−２２０８４２号公報
【発明の概要】
【発明が解決しようとする課題】
【０００５】
ブリスターパックと包装箱とを組み合わせた包装装置では、ブリスターパックと組み合わせる包装箱を組み立てるのに手間がかかり、包装の作業性に問題がある。
【０００６】
本発明が解決しようとする課題は、包装の作業性を向上できる包装装置を提供することである。
【課題を解決するための手段】
【０００７】
実施形態の包装装置は、包装物を収容するブリスターパック、および包装箱を備える。包装箱は、ブリスターパックに収容された包装物が露出する窓部が形成された包装材を有し、この包装材の折り曲げおよび嵌め込みによってブリスターパックを収容する箱状に組み立てる。
【発明の効果】
【０００８】
本発明によれば、包装材の折り曲げおよび嵌め込みにより、ブリスターパックと組み合わせる包装箱を組み立てることができ、包装の作業性が向上することが期待できる。
【図面の簡単な説明】
【０００９】
【図１】第１の実施形態を示すブリスターパックと包装箱を組み合わせた包装装置の斜視図である。
【図２】同上包装箱の包装材を展開した背面図である。
【図３】同上ブリスターパックの背面図である。
【図４】同上ブリスターパックの側面図である。
【図５】同上ブリスターパックの平面図である。
【図６】同上包装材の組立手順を示す背面図である。
【図７】同上図６に続く包装材の組立手順を示す背面図である。
【図８】同上図７に続く包装材の組立手順を示す背面図である。
【図９】同上図８に続く包装材の組立手順を示す背面図である。
【図１０】同上包装装置を前後に並べて配置した状態の側面図である。
【図１１】第２の実施形態を示すブリスターパックと包装箱を組み合わせた包装装置の斜視図である。
【図１２】同上包装箱の包装材を展開した背面図である。
【図１３】同上ブリスターパックの背面図である。
【図１４】同上ブリスターパックの側面図である。
【図１５】同上ブリスターパックの平面図である。
【図１６】同上包装材の組立手順を示す背面図である。
【図１７】同上図１６に続く包装材の組立手順を示す背面図である。
【図１８】同上図１７に続く包装材の組立手順を示す背面図である。
【図１９】同上図１８に続く包装材の組立手順を示す背面図である。
【発明を実施するための形態】
【００１０】
以下、第１の実施形態を、図１ないし図１０を参照して説明する。
【００１１】
図１、図３ないし図５に示すように、包装物としてはランプ10である。このランプ10は、一端には光源部11が設けられ、他端には給電部12が設けられている。光源部11はＬＥＤを有し、給電部12は一対の給電端子13を有している。
【００１２】
このランプ10を包装する包装装置15は、ブリスターパック16とこのブリスターパック16を収容する包装箱17とを組み合わせて構成されている。
【００１３】
図３ないし図５に示すように、ブリスターパック16は、例えば、ポリエチレンテレフタラート（ＰＥＴ）、ポリ塩化ビラル（ＰＶＣ）、ポリエチレン（ＰＳ）等の透明なプラスチック材料で形成されている。
【００１４】
ブリスターパック16は、四角形平板状の本体20を有し、この本体20の上辺から吊下げ部21が延設され、本体20の左右両側から折り線22を介して縁部23が延設されている。
【００１５】
本体20には、ブリスターパック16の前面側に突出するとともに背面側に開口していてランプ10を着脱可能に収容する収容部24が形成されている。収容部24の前面側はランプ10の形状に対応した形状に形成されている。収容部24には、収容部24に収容したランプ10を保持する保持部25が突出されている。本体20の左右両側近傍には前面側に突出するとともに背面側に開口する複数の窪み部26が形成されている。
【００１６】
吊下げ部21には、吊下げ孔27が形成されている。
【００１７】
縁部23には、背面側に突出する複数の突部28が形成されている。縁部23が折り線22で折り曲げられて各突部28が各窪み部26に嵌り込むことにより、縁部23が折り曲げ状態で固定されるように構成されている。
【００１８】
また、図２に示すように、包装箱17は、例えば、紙、あるいはプラスチック等の材料で構成された１枚の包装材30から組み立てられている。
【００１９】
包装材30は、四角形状の前面部31を有している。前面部31には、ランプ10の形状と同形状の窓部32が形成されている。
【００２０】
前面部31の上辺には、上面部33および上側フラップ34が順に延設されている。前面部31と上面部33との間および上面部33と上側フラップ34との間には、それぞれ折り線35，36が加工されている。上面部33には、吊下げ部21が挿通する挿通溝37が形成されている。上側フラップ34の先端側には、上側フラップ34の幅方向の中央から一側に向けて半円弧状に突出する係止片38が形成されている。上側フラップ34の幅方向の両側には、溝部39が形成されている。
【００２１】
前面部31の下辺には、底面部40および下側フラップ41が順に延設されている。前面部31と底面部40との間および底面部40と下側フラップ41との間には、それぞれ折り線42，43が加工されている。下側フラップ41の先端側には、係止片38とは対称的に、下側フラップ41の幅方向の中央から他側に向けて半円弧状に突出する係止片44が形成されている。下側フラップ41の幅方向の両側には、溝部45が形成されている。
【００２２】
前面部31の一側の側辺（第１の側辺）には、第１の側面部46、背面部47および差込み部48が順に延設されている。前面部31と第１の側面部46との間、第１の側面部46と背面部47との間、および背面部47と差込み部48との間には、それぞれ折り線49，50，51が加工されている。差込み部48の中央域には、嵌め込み溝52が形成されている。
【００２３】
前面部31の他側の側辺（第２の側辺）には、第２の側面部53および嵌め込み部54が順に延設されている。前面部31と第２の側面部53との間および第２の側面部53と嵌め込み部54との間には、それぞれ折り線55，56が加工されている。嵌め込み部54は、第２の側面部53の中央域から突出されている。第２の側面部53には、嵌め込み部54に連続する切り線57が形成されている。
【００２４】
上面部33と側面部46，53との間、および底面部40と側面部46，53との間には、折込み部58が折り線59を介して形成されている。折込み部58の中央には、折り線60が形成されているとともに、一部には折り線60での折り曲げを容易にするための切り線61が形成されている。
【００２５】
そして、図１に示すように、包装箱17は、上面部33の前後方向の幅より底面部40の前後方向の幅が広く、側面部46，53が台形状で、上面部33および底面部40に対して背面部47が略垂直であるとともに前面部31が上向きとなるように傾斜されている。
【００２６】
次に、包装装置15によるランプ10の包装手順を説明する。
【００２７】
ランプ10をブリスターパック16の収容部24に嵌め込んで保持させる。
【００２８】
図２において、ブリスターパック16の吊下げ部21を展開状態の包装材30の挿通溝37に挿通する。
【００２９】
図６に示すように、上面部33を前面部31から折り曲げ、ブリスターパック16を前面部31の背面側に配置するとともに、上側フラップ34を上面部33から折り曲げてブリスターパック16の背面側に配置する。このとき、ブリスターパック16の前面に突出する収容部24が前面部31の窓部32を通じて前方に突出する。
【００３０】
図７に示すように、底面部40を前面部31から折り曲げるとともに、下側フラップ41を底面部40から折り曲げてブリスターパック16の背面側に配置する。上側フラップ34の係止片38と下側フラップ41の係止片44とを互いに引っ掛け合うように組み合わせる。これにより、各フラップ34，41の組み合わせ状態が維持され、ブリスターパック16の窪み部26と各フラップ34，41の溝部39，45とが一致する。
【００３１】
図８に示すように、ブリスターパック16の両側の縁部23を本体20から折り曲げ、各突部28を各フラップ34，41の溝部39，45を通じて窪み部26に嵌め込んで固定する。これにより、各突部28と各フラップ34，41の溝部39，45との嵌り込みにより、ブリスターパック16と各フラップ34，41（すなわち包装箱17）との上下方向の位置が位置決めされるとともに、ブリスターパック16の本体20と縁部23との間で各フラップ34，41を挟み込み、ブリスターパック16と各フラップ34，41（すなわち包装箱17）との左右方向の位置が位置決めされる。したがって、ブリスターパック16が各フラップ34，41（すなわち包装箱17）に位置決めされて保持される。
【００３２】
図９に示すように、各側面部46，53を前面部31から折り曲げてブリスターパック16の側部にそれぞれ配置し、さらに、背面部47を第１の側面部46から折り曲げてブリスターパック16の背面側でかつフラップ34，41の背面側に配置し、差込み部48を背面部47から折り曲げて第２の側面部53とブリスターパック16との間に差し込む。さらに、嵌め込み部54を第２の側面部53から起こし、嵌め込み部54を差込み部48の嵌め込み溝52に嵌め込む。これにより、嵌め込み部54によって差込み部48が抜け止めされ、ブリスターパック16を収容する包装箱17が完成する。
【００３３】
図１に示すように、包装装置15によるランプ10の包装状態では、前面部31の窓部32からブリスターパック16の収容部24が突出し、収容部24に収容されているランプ10の一部が外部に露出される。
【００３４】
このように構成された包装装置15によれば、包装材30の折り曲げおよび嵌め込みのみにより、糊付け工程等を伴うことなく、ブリスターパック16と組み合わせる包装箱17を組み立てることができ、包装の作業性を向上できる。
【００３５】
また、ランプ10を収容する収容部24がブリスターパック16の背面側に開口した状態で包装箱17に収容することにより、収容部24の開口をブリスターパック16の一部で覆う場合に比べて、ブリスターパック16の構成を簡素化できる。
【００３６】
しかも、ランプ10を収容する収容部24がブリスターパック16の背面側に開口していても、ブリスターパック16の背面側には包装材30の各フラップ34，41および背面部47が複数層に重なるため、背面部47に加わる外力を緩衝し、ランプ10を確実に保護できる。
【００３７】
また、ブリスターパック16の本体20と縁部23との間で包装材30の各フラップ34，41を挟み込んだ状態で、ブリスターパック16の突部28が各フラップ34，41の溝部39，45を挿通して窪み部26に嵌め込み固定されるため、ブリスターパック16と包装材30とを位置決めして保持できる。
【００３８】
また、図１０に示すように、包装箱17は、上面部33の前後方向の幅より底面部40の前後方向の幅が広く、側面部46，53が台形状であるため、例えば陳列棚等の載置面に包装箱17を載置した際の安定性をよくできる。
【００３９】
さらに、包装箱17は、上面部33および底面部40に対して背面部47が略垂直であるとともに前面部31が上向きとなるように傾斜されているため、前面部31から収容部24を突出させていても前後方向の寸法を小さくできる。そのため、載置面に複数の包装箱17を前後方向に並べて載置した際に、前面部31から収容部24が突出していても、複数の包装箱17の前後方向のピッチを小さくでき、多くの包装箱17を前後方向に並べることができる。また、陳列のための水平状の吊下げ棒にブリスターパック16の吊下げ孔27を引っ掛けて包装箱17を吊下げた場合にも、複数の包装箱17の前後方向のピッチを小さくでき、多くの包装箱17を前後方向に並べることができる。
【００４０】
次に、図１１ないし図１９に、第２の実施形態を示す。なお、第１の実施形態と同じ構成には同じ符号を用い、その構成および作用効果についての説明を省略する。
【００４１】
図１、図３ないし図５に示すように包装物としてはランプ10であるが、光源部11はＬＥＤを覆うグローブ65を有し、給電部12はスクリュータイプの口金66を有している。
【００４２】
図１３ないし図１５に示すように、ブリスターパック16には、第１の実施形態の窪み部26および突部28は形成されず、本体20の両側の縁部23から複数の突部70が突出されている。突部70は、縁部23側より先端側の幅が広く形成されている。なお、ブリスターパック16の他の構成は、第１の実施形態と同様である。
【００４３】
図１２に示すように、包装材30の各フラップ34，41には、第１の実施形態のように各フラップ34，41の両側に溝部39，45は形成されず、各フラップ34，41の両側近傍に突部70が挿入可能とするスリット状の溝部71，72が形成されている。溝部71，72の長手方向の幅は、突部70の幅と略同じか少し狭く形成されている。なお、包装材30の他の構成は、第１の実施形態と同様である。
【００４４】
そして、第２の実施形態の包装装置15によるランプ10の包装手順を説明する。
【００４５】
ランプ10をブリスターパック16の収容部24に嵌め込んで保持させる。
【００４６】
図１２において、ブリスターパック16の吊下げ部21を展開状態の包装材30の挿通溝37に挿通する。
【００４７】
図１６に示すように、上面部33を前面部31から折り曲げ、ブリスターパック16を前面部31の背面側に配置するとともに、上側フラップ34を上面部33から折り曲げてブリスターパック16の背面側に配置する。このとき、ブリスターパック16の前面に突出する収容部24が前面部31の窓部32を通じて前方に突出する。
【００４８】
図１７に示すように、底面部40を前面部31から折り曲げるとともに、下側フラップ41を底面部40から折り曲げてブリスターパック16の背面側に配置する。上側フラップ34の係止片38と下側フラップ41の係止片44とを互いに引っ掛け合うように組み合わせる。これにより、各フラップ34，41の組み合わせ状態が維持される。
【００４９】
図１８に示すように、ブリスターパック16の両側の縁部23を本体20から折り曲げ、各突部70を各フラップ34，41の各溝部71，72に挿入する。これにより、各突部70が各フラップ34，41の各溝部71，72に引っ掛かって保持される。そして、ブリスターパック16と各フラップ34，41（すなわち包装箱17）との上下方向の位置が位置決めされるとともに、ブリスターパック16の本体20と縁部23との間で各フラップ34，41を挟み込み、ブリスターパック16と各フラップ34，41（すなわち包装箱17）との左右方向の位置が位置決めされる。したがって、ブリスターパック16が各フラップ34，41（すなわち包装箱17）に位置決めされて保持される。
【００５０】
図１９に示すように、各側面部46，53を前面部31から折り曲げてブリスターパック16の側部にそれぞれ配置し、さらに、背面部47を第１の側面部46から折り曲げてブリスターパック16の背面側でかつフラップ34，41の背面側に配置し、差込み部48を背面部47から折り曲げて第２の側面部53とブリスターパック16との間に差し込む。さらに、嵌め込み部54を第２の側面部53から起こし、嵌め込み部54を差込み部48の嵌め込み溝52に嵌め込む。これにより、嵌め込み部54によって差込み部48が抜け止めされ、ブリスターパック16を収容する包装箱17が完成する。
【００５１】
図１１に示すように、包装装置15によるランプ10の包装状態では、前面部31の窓部32からブリスターパック16の収容部24が突出し、収容部24に収容されているランプ10の一部が外部に露出される。
【００５２】
このように構成された包装装置15によれば、包装材30の折り曲げおよび嵌め込みのみにより、糊付け工程等を伴うことなく、ブリスターパック16と組み合わせる包装箱17を組み立てることができ、包装の作業性を向上できる。
【００５３】
しかも、ブリスターパック16の本体20と縁部23との間で包装材30の各フラップ34，41を挟み込んだ状態で、ブリスターパック16の突部70が各フラップ34，41の溝部71，72に嵌め込み固定されるため、ブリスターパック16と包装材30とを位置決めして保持できる。
【００５４】
なお、包装材30の構成は、前記実施形態に限らず、糊付けが必要なく、折り曲げおよび嵌め込みによって包装箱17を組み立てることができれば、どのような構成であっても構わない。
【００５５】
また、包装物としてはランプ10に限らず、他の物品でも構わない。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
10    包装物としてのランプ
15    包装装置
16    ブリスターパック
17    包装箱
24    収容部
28    突部
30    包装材
32    窓部
34，41    フラップ
39，45    溝部
70    突部
71，72    溝部
【図１】
2015037957.tif 000003
【図２】
2015037957.tif 000004
【図３】
2015037957.tif 000005
【図４】
2015037957.tif 000006
【図５】
2015037957.tif 000007
【図６】
2015037957.tif 000008
【図７】
2015037957.tif 000009
【図８】
2015037957.tif 000010
【図９】
2015037957.tif 000011
【図１０】
2015037957.tif 000012
【図１１】
2015037957.tif 000013
【図１２】
2015037957.tif 000014
【図１３】
2015037957.tif 000015
【図１４】
2015037957.tif 000016
【図１５】
2015037957.tif 000017
【図１６】
2015037957.tif 000018
【図１７】
2015037957.tif 000019
【図１８】
2015037957.tif 000020
【図１９】
2015037957.tif 000021